(57)【要約】      （修正有）【課題】無線ネットワーク・プロバイダあるいはワイヤード・ネットワーク・アクセス・プロバイダの直接的な介入なしに複数のサービスのパッケージとしてひとまとめにされた１つまたはそれより多くのサービスへのアクセスに関する許可を決定するシステム・デバイスおよび方法を提供する。【解決手段】事業主、通信サービスの契約者、サービス転売業者、ＯＥＭｓ、およびサービス・プロバイダに、ユーザの、特に、以降「所有者」と呼ばれる移動通信端末のユーザの、パッケージ・サービスへのアクセスを許可する能力を提供する。このように、特徴およびアプリケーションの大きいパッケージは、モバイル・デバイスにとって利用可能となり得るが、しかし、これらの特徴およびアプリケーションは該所有者により制御されることができ、したがってそれらの特徴およびアプリケーションにアクセスすることと関係した費用に対する該制御を該所有者に与える。【選択図】図４
2012231507.tif 000002
【特許請求の範囲】
【請求項１】
下記を具備するスマートフォン、
トランシーバ、
前記トランシーバに接続されたプロセッサ、
前記プロセッサに接続されたメモリ、
前記メモリ中に特徴制御許可情報を記憶するために動作可能な特徴制御デーモン。
【請求項２】
前記特徴制御デーモンは、前記トランシーバにより許可情報を無線で受信するためにさらに動作可能である、請求項１記載のスマートフォン。
【請求項３】
前記許可情報は、ＸＭＬファイル、ＷＭＬファイル、ＤＬＬファイル、ｅｘｅファイル、バイナリファイル、ＪＡＲファイル、Ｐｅｒlファイル、ＢＲＥＷアプリケーションファイル、Ｃ＋＋ファイル、Ｃファイル、Ｃ＃ファイル、前記スマートフォンに知られている他のデータ、スクリプトまたは実行ファイル、あるいはそれらの組合せから選択されたファイルからなる、請求項１記載のスマートフォン。
【請求項４】
前記特徴制御デーモンは、１つまたはそれより多くの特徴へのアクセスを認可する特徴制御情報に関して前記メモリに問合せるために動作可能な１つまたはそれより多くの追加のモバイル特徴制御アプリケーションを生じさせるために動作可能なモバイル特徴制御アプリケーションを含む、請求項１記載のスマートフォン。
【請求項５】
モバイル・オペレーション・システムが前記メモリ中に記憶された特徴制御情報に関連して許可された特徴へのスマートフォンのアクセスを可能にする、前記モバイル・オペレーティング・システムをさらに含む、請求項１記載のスマートフォン。
【請求項６】
入力を受信するために動作可能なインターフェースおよびモバイル・オペレーティング・システムをさらに含み、前記モバイル・オペレーティング・システムは、前記インターフェースによって受信された入力に関連して前記特徴制御デーモンによりアクセスに関して認可された特徴を実施するために動作可能である、請求項１記載のスマートフォン。
【請求項７】
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記スマートフォンに知られている他のデータ、スクリプトまたは実行可能なもの、あるいはそれらの組合せを使用して、前記インターフェースによって受信された入力に関連して前記特徴制御デーモンの使用によりアクセスに関して前に認可された特徴を実施するために動作可能である、請求項１記載のスマートフォン。
【請求項８】
下記を具備する、移動局のためのサービスへの制御アクセスの方法、
サービスリクエストを受信すること、
前記移動局内のデータベース中の記憶された許可によって示されるように該移動局によって該サービスがサポートされるかどうかを決定することにより前記サービスリクエストを評価するためにアプリケーションを生じさせること、
前記サービスにアクセスする許可を決定した前記アプリケーションに関連して前記サービスにアクセスするようにモバイル・オペレーティング・システムに命令すること。
【請求項９】
前記モバイル・オペレーティング・システムは、Symbian（登録商標）、 Win CE（登録商標）、Rex（登録商標）、VxWorks（登録商標）、ThreadX（登録商標）、またはNucleus（登録商標）オペレーティング・システムからなるグループから選択されたオペレーティング・システムである、請求項８記載の方法。
【請求項１０】
移動局へのキーパッド入力は、サービスリクエストとして解釈される、請求項８記載の方法。
【請求項１１】
移動局によって受信された所定のデータは、サービスリクエストとして解釈される、請求項８記載の方法。
【請求項１２】
前記所定のデータは、ネットワーク管理センタまたは許可サーバからなるソースから受信される、請求項１１記載の方法。
【請求項１３】
アプリケーション・イネーブラ、アプリケーションの一部分、またはアプリケーションからなるものは放送によって移動局へダウンロードされる、請求項８記載の方法。
【請求項１４】
前記記憶された許可は、ＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記移動局に知られている他のデータ、スクリプトまたは実行ファイル、あるいはそれらの組合せから選択されたファイルからなるファイル中に含まれる、請求項８記載の方法。
【請求項１５】
下記を含む移動局、
トランシーバ、
前記トランシーバに接続されたプロセッサ、
前記プロセッサに接続されたメモリ、および
ダウンロード可能なソフトウェア・アプリケーション、前記ソフトウェア・アプリケーションは前記移動局のユーザによる特徴へのアクセスを提供するために動作可能である。
【請求項１６】
前記ダウンロード可能なソフトウェア・アプリケーションはさらに、前記メモリ中に記憶された許可情報を検査することに関連して、移動局による特徴へのアクセスを決定するために動作可能である、請求項１５記載の移動局。
【請求項１７】
前記移動局による特徴へのアクセスは、前記移動局のユーザの識別、デバイスの能力、先の活動、集められたデータ、時間、位置、あるいはそれらの組合せからなるものに基づいている、請求項１５記載の移動局。
【請求項１８】
下記を具備する移動通信端末、
プロセッサ、
特徴のパッケージを実施するために動作可能なソフトウェアを含むメモリ、
特徴制御デーモン、
前記プロセッサに結合されたトランシーバ、前記トランシーバは、ネットワークに結合された無線通信ネットワークによりデータを送受信するために動作可能であり、前記プロセッサは、移動通信端末のユーザについて、パッケージ特徴にアクセスする許可を与えた前記特徴制御デーモンに関連して前記ネットワークおよび前記無線通信ネットワークにより提供された、前記パッケージ特徴にアクセスするために動作可能である。
【請求項１９】
前記プロセッサは、遠隔局から前記トランシーバにより受信されたプログラミングに関連して前記パッケージ特徴の使用を可能にされる、請求項１８記載の移動通信端末。
【請求項２０】
前記プロセッサは、許可を与えない前記特徴制御デーモンに関連して前記パッケージ特徴の使用を拒否される、請求項１８記載の移動通信端末。
【請求項２１】
前記特徴のパッケージは、リング・バック・トーン、３者間通話、キャッチホン、音声メール、テキストメッセージング、長距離電話、発信者番号通知、ピクチャ・メッセージ、マルチメディア特徴、非電話アプリケーションおよび特徴、ビジネス・アプリケーション、データベース・アクセス、またはそれらの組合せからなるグループから選択される、請求項１８記載の移動通信端末。
【請求項２２】
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記スマートフォンに知られている他のデータ、スクリプトまたは実行ファイル、あるいはそれらの組合せを使用して、前記インターフェースによって受信された入力に関連して前記特徴制御デーモンの使用によりアクセスに関して前に認可された特徴を実施するために動作可能である、請求項１８記載の移動通信端末。
【請求項２３】
前記ネットワークは、インターネットによって一緒に接続された複数のルータを含む、請求項１８記載の移動通信端末。
【請求項２４】
前記ネットワークは、パケット交換データネットワークまたはデータ交換ネットワークからなるものの範囲内において接続される、請求項１８記載の移動通信端末。
【請求項２５】
前記無線ネットワークは、ＣＤＭＡ、ＷＣＤＭＡ、ＵＭＴＳ、ＧＳＭ、８０２．１１、ＢＴ、ＴＤＭＡあるいはＯＦＤＭＡネットワークからなるネットワークから選択される、請求項１８記載の移動通信端末。
【請求項２６】
前記トランシーバによる許可デバイスとの通信のためにユーザを識別するために使用されるインターフェースをさらに含む、請求項１８記載の移動通信端末。
【請求項２７】
前記インターフェースは、指紋読取装置、網膜スキャナ、音声認識デバイス、あるいはそれらの組合せからなるグループから選択されたバイオメトリック・センサを含む、請求項２６記載の移動通信端末。
【請求項２８】
前記インターフェースは、キーパッド、タッチパッド・スクリーン、トラック・ボール、あるいはそれらの組合せからなるデータ・エントリ・デバイスを含む、請求項２６記載の移動通信端末。
【請求項２９】
前記ネットワークはＡＴＭネットワークである、請求項１８記載の移動通信端末。
【請求項３０】
前記特徴のパッケージは加入者サービスによって提供される、請求項１８記載のビジネスを行うための方法。
【請求項３１】
請求項１８記載の前記移動通信端末は、ＭＳＣを除いて前記ネットワークにより特徴のパッケージへのアクセスを提供される、ビジネスを行う方法。
【請求項３２】
下記を具備する、無線ネットワークにより移動局にサービスのパッケージを提供する方法、
ユーザのために許可されたパッケージの特徴にアクセスするためにＡＴＭネットワークに結合された無線ネットワークにより許可コードを受信すること、
前記ＡＴＭネットワークに結合された前記無線ネットワークにより、前記移動局内の特徴制御デーモンによって許可された、前記パッケージの特徴にアクセスすること。
【請求項３３】
前記パッケージの前記特徴は、別のエンティティの所有者の所有権下にある移動交換センタによるルーティングなしにアクセスされる、請求項３２記載の無線ネットワークによりサービスのパッケージを提供する方法。
【請求項３４】
前記パッケージの前記特徴は８０２．１１の接続を使用してアクセスされる、請求項３３記載の方法。
【請求項３５】
所有者の所有権は、前記別のエンティティの事業部、子会社または系列会社であることにより所有権を含む、請求項３３記載の方法。
【請求項３６】
前記パッケージの前記特徴は、リング・バック・トーン、３者間通話、キャッチホン、音声メール、テキストメッセージング、またはそれらの組合せからなるグループから選択される、請求項３２記載の無線ネットワークによりサービスのパッケージを提供する方法。
【請求項３７】
前記サービスおよび前記パッケージの前記特徴は、電話をかけることに直接的に結びつけられないサービスおよび特徴を含む、請求項３２記載の無線ネットワークによりサービスのパッケージを提供する方法。
【請求項３８】
下記を具備する移動通信システム、
無線通信ネットワーク、
前記無線通信ネットワークに結合されたＡＴＭネットワーク、
前記ＡＴＭネットワークに接続された許可デバイス、
前記許可デバイスによりアクセス可能な特徴のパッケージ、前記許可デバイスは、移動通信端末から遠く離れたエンティティから受信された指示に関連して該移動通信端末による特徴の使用の許可を与えるために動作可能である。
【請求項３９】
前記無線通信ネットワークは複数の移動通信端末に結合される、請求項３８記載の移動通信システム。
【請求項４０】
前記移動通信端末の選択された許可されたユーザは、別のエンティティの所有者の所有権下にある移動交換センタによる通信のルーティングなしに、前記パッケージの特徴にアクセスすることができる、請求項３９記載のシステム。
【請求項４１】
前記所有者の所有権は、前記別のエンティティの事業部、子会社または系列会社であることにより所有権を含む、請求項３８記載のシステム。
【請求項４２】
前記特徴のパッケージは、リング・バック・トーン、３者間通話、キャッチホン、音声メール、テキストメッセージング、他の特徴またはそれらの組合せからなるグループから選択される、請求項３８記載のシステム。
【請求項４３】
前記ＡＴＭネットワークは、インターネットによって一緒に接続された複数のルータを含む、請求項３８記載のシステム。
【請求項４４】
前記アクセス・デバイスは許可サーバである、請求項３８記載のシステム。
【請求項４５】
前記ＡＴＭネットワークは、パケット交換データネットワーク内に接続される、請求項３８記載のシステム。
【請求項４６】
前記ＡＴＭネットワークは、データ交換データネットワーク内に接続される、請求項３８記載のシステム。
【請求項４７】
前記無線通信ネットワークは、ＣＤＭＡ、ＷＣＤＭＡ、ＵＭＴＳ、ＧＳＭ、８０２．１１、ＢＴ、ＴＤＭＡあるいはＯＦＤＭＡネットワークから選択されたネットワークからなる、請求項３８記載のシステム。
【請求項４８】
前記許可デバイスは、ソース・コード、実行ファイル、スクリプト、データのダウンロード、特定のエンドユーザ権、時刻、移動通信端末の現在のロケーション、あるいはそれらの組合せから選択された、前記移動通信端末から遠く離れたエンティティにより制御された基準に関連して前記特徴のパッケージへのアクセスを認可する、請求項３８記載のシステム。
【請求項４９】
下記を具備するモバイルデバイス、
トランシーバ、
前記トランシーバに接続されたプロセッサ、
前記プロセッサに接続されたメモリ、
前記メモリ中に特徴制御許可情報を記憶するために動作可能な特徴制御デーモン。
【請求項５０】
前記特徴制御デーモンは、前記トランシーバにより許可情報を無線で受信するためにさらに動作可能である、請求項４９記載のモバイルデバイス。
【請求項５１】
前記許可情報は、ＸＭＬファイル、ＷＭＬファイル、ＤＬＬファイル、ｅｘｅファイル、バイナリファイル、ＪＡＲ、Ｐｅｒl、ＢＲＥＷアプリケーション、Ｃ＋＋ファイル、Ｃファイル、Ｃ＃ファイル、前記デバイスに知られている他のデータ、スクリプトまたは実行ファイル、あるいはそれらの組合せから選択されたファイルからなる、請求項４９記載のモバイルデバイス。
【請求項５２】
前記特徴制御デーモンは、１つまたはそれより多くの特徴へのアクセスを認可する特徴制御情報に関して前記メモリに問合せるために動作可能である１つまたはそれより多くの追加のモバイル特徴制御アプリケーションを生じさせるために動作可能なモバイル特徴制御アプリケーションを含む、請求項４９記載のモバイルデバイス。
【請求項５３】
モバイル・オペレーション・システムが前記メモリ中に記憶された特徴制御情報に関連して許可された特徴へのスマートフォンのアクセスを可能にする、前記モバイル・オペレーティング・システムをさらに含む、請求項４９記載のモバイルデバイス。
【請求項５４】
入力を受信するために動作可能なインターフェースおよびモバイル・オペレーティング・システムをさらに含み、前記モバイル・オペレーティング・システムは、前記インターフェースによって受信された入力に関連して前記特徴制御デーモンによりアクセスに関して認可された特徴を実施するために動作可能である、請求項４９記載のモバイルデバイス。
【請求項５５】
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬ、ｅｘｅファイル、バイナリ、ＪＡＲ、Ｐｅｒl、ＢＲＥＷアプリケーション、Ｃ＋＋ファイル、Ｃファイル、Ｃ＃ファイル、前記デバイスに知られている他のデータ、スクリプトまたは実行ファイル、あるいはそれらの組合せを使用することによって、前記インターフェースによって受信された入力に関連して前記特徴制御デーモンの使用により、アクセスに関して前に認可された特徴を実施するために動作可能である、請求項４９記載のモバイルデバイス。
【発明の詳細な説明】
【技術分野】
【０００１】
無線通信システムの使用は、固定局と１つまたはそれより多くの地理的に分散したモバイル(mobile)受信機との間で情報を送信することに関してよく知られている。例えば、衛星通信システムは、一会社所有の全車両(fleet)のディスパッチ・センタ(dispatch centers)とそれらの各トラクタ−トレイラー車両(tractor-trailer vehicles)との間のメッセージング(messaging)およびロケーション(location)情報を提供するためにトラック運送業の中で何年も使用されてきた。以降「委任者(contractee)」と呼ばれる会社が無線電話サービスを組込んでいるサービスおよびイクイップメント(equipment)を提供するシステムが存在する。該委任者は、付加価値アプリケーションおよび、または製品を含む、イクイップメントおよび複数のサービスをバンドルし(bundle)、従業員、顧客、契約者などにそれらを提供し、転売し(resell)、賃借し(lease)、賃貸する(rent)ことができる。
【背景技術】
【０００２】
委任者は、バンドルされた複数のサービスのある定まったもののアベイラビリティ (availability)を制限することを望むことができる。今まで、どのシステムまたは方法も、バンドルされた複数のサービスへのアクセスの委任者制御を許可しなかった。今まで、この制御は、通信サービス・プロバイダによって常に保持たれていた。
【０００３】
電話サービス・プロバイダは、移動交換センタ(mobile switching center)（ＭＳＣ）によりトラヒックのルーティングを行う(route)ユーザ移動局（ＭＳ）にサービスを提供することにより多くの収益を生じさせる。ＭＳＣは、モバイル・ユーザと外部通信ネットワークとの間のサービスおよび調整(coordination)を提供する。このバックボーン(backbone)スイッチはまた、時刻、要求、データの量などに基いてある範囲の請求書送付(billing)スキーム(schemes)を可能にする通信サービス・プロバイダの主要な請求書送付手段(vehicle)である。移動通信ユーザ、とくに、一会社所有の全車両(fleet)の通信に関連した移動通信ユーザが、該電話会社のＭＳＣの高価な請求書送付を回避する一方で、リング・バック・トーン(ring back tones)、３者間通話(three-way calling), キャッチホン (call waiting), 音声メール等のような、ある定まったシステムへのアクセスおよび費用を制御することを可能にすることが必要とされている。
【０００４】
分散型の処理(distributed processing)は、長年にわたる傾向である。例えば、ＭＳＣ−中央の通信(telco)スイッチを回避するための試みが進行中である。多くの理由のために、ＭＳＣには問題がある。例えば、それは典型的に多くのフロアのスペースを占め、それを冷やす必要がある、等である。分散型の処理を用いるパケット・スイッチを作るための試みが進行中である。このように、処理容量の増加を試みる一方で、フットプリント（例えば、電力消費量、サイズ、計算要求）を減少するための試みがなされている。フットプリントの減少は、現在、いくつかのスイッチに機能性を広げることにより対処される。例えば、インテリジェント周辺装置(intelligent peripherals)と呼ばれるものを使用することが今や一般的である。一例として、いくつかの通信事業会社は、中央局(central station)を通じてある都市で光ファイバにより接続された基地局から数百マイルの別の都市に呼をルーティングすること(routing)により呼トラヒックを処理する(handle)。分散型のスイッチおよびスイッチング(switching)への傾向が続いているので、ＭＳＣ一部であったビジティング・ロケーション・レジスタ(Visiting Location Register)（ＶＬＲ）やホーム・ロケーション・レジスタ(Home Location Register)（ＨＬＲ）のような機能(functions)でさえ、今や、ＭＳＣから離れて配置される。
【発明の概要】
【０００５】
事業主、イクイップメントのレンタル会社などが携帯電話(mobile phone)等の移動通信イクイップメントによって特徴へのアクセスを制御することを可能にすることが必要とされている。さらに、減少されたフットプリントを有する環境において移動イクイップメントへの特徴へのアクセスを制御することも必要とされている。
【図面の簡単な説明】
【０００６】
【図１】図１は、移動局（ＭＳ）内のモバイル特徴制御アプリケーション(Mobile Feature Control Application)（ＭＦＣＡ）として知られている親プロセス(parent process)のような、プロセスのインタラクション(interaction)を示す概略図である。
【図２】図２はモバイル特徴制御アプリケーション・デーモン(mobile feature control application daemon)を示す。
【図３】図３は、図１の概略図によって示されたものにしたがって動作可能である各ＭＳを含む通信ネットワークを示す。
【図４】図４は、好ましい１実施形態の１つの態様のブロック図を示し、そこにおいて複数のサービスあるいは複数のサービス特徴のパッケージは、移動通信端末（ＭＣＴ）に関連付けられる。
【図５】図５は、ソフトウェア・ファイルあるいはコードがサービスリクエストに応答してＭＣＴにダウンロードされる好ましい１実施形態の別の態様のブロック図を示す。
【図６】図６は、１つの実施形態のあるシステム・ビュー(system view)を示す概略図を示す。
【図７】図７は、その宛先(destination)へＡＴＭの中の複数のルータ(routers)を通って仮想パス(virtual path)に沿って移動するＡＴＭセルを示す。
【図８】図８は、一会社所有の全車両を制御するディスパッチャ(dispatcher)と共に動作することのできる車両によって運ばれた移動通信端末（ＭＣＴ）を示す１つの実施形態の概略図を示す。
【図９】図９は、例示的なＭＣＴのブロック図を示す。
【図１０】図１０は、許可サーバに関連して複数の特徴のパッケージからダウンロードされた複数のファイルまたはコードを受信することができるトラック上のＭＣＴを示す、１実施形態のブロック図を示す。
【詳細な説明】
【０００７】
適用可能な参照符号は繰り越されている。  
１つの好ましい実施形態では、システムは、サービスのパッケージとして一まとめにされた１つ以上のサービスへのアクセスのための認可を決定する（以下、パッケージと呼ぶ）。複数のサービスのパッケージは、呼設定(call setup)および通信(telecom)サービスの調整を提供する通信スイッチである従来の移動交換センタ（ＭＳＣ）の垂直の(vertical)特徴を再現する(replicate)。該システムは、事業主(business proprietors)、通信サービスの契約者、およびサービス・プロバイダに、ユーザの、とくに移動通信端末のユーザの、パッケージ・サービスへのアクセスを許可する能力を提供する。前述のシステムのインプリメンテーション(implementation)は、一態様では、移動局（ＭＳ）内の埋込み型オペレーティング・システムにおいて動作可能なモバイル特徴制御アプリケーション・デーモンを使用して行われることができる。ここにおいて言及されるＭＳは、携帯電話、スマートフォン(smart phone)、無線能力(capabilities)を備えた携帯情報端末、デスクトップ・コンピュータ、無線能力（８０２．１１のローカルエリアネットワーク接続性(connectivity)（例えば、ＷｉＦｉ））を備えたポータブルコンピュータ(portable computer)（例えば、ラップトップまたはノート型コンピュータ）、ページャあるいは他のパーソナル通信デバイスを含むことができる。
【０００８】
図１は、ＭＳ内のモバイル特徴制御アプリケーション（ＭＦＣＡ）２として知られている親プロセスのような、プロセスのインタラクションを示す概略図である。ＭＦＣＡ  ２は、モバイル・オペレーティング・システムからのサービスリクエスト１２に関してポート上で耳を澄ます(listens)。例えば、ＭＦＣＡデータベース８において特徴リスト（示されていない）を更新する（（修正する、あるいは制御する））ために入ってくる (incoming)コマンド／呼６に起因するサービスリクエストを受信することに関連して、ＭＦＣＡ  ２は、ユーザまたはプログラムのアクション(action)によって開始されたサービスリクエスト１２に応答してＭＦＣＡ子どもプロセス(MFCA child process)１０を生じさせる(spawns)（２から１０への矢印により示されるように）。同様に、より多くのサービスリクエスト１２は、図１に示されているＭＦＣＡ子どもプロセス１０を生じさせることとなり得る。それの結果として、入ってくるサービスリクエストのマルチプロセス(multi-process)ハンドリング(handling)が提供されることができる。一態様では、別のタイプのサービスリクエストは、ハードウェア・インターフェース１６により、例えば、キーパッド・エントリ（例えば、ダイヤルされた数字、あるいはキーボード、音声コマンド、バイオメトリック(biometric）インジケータ等によってデジタル・データを入力する他の方法）等の、ＭＳエントリ１４に起因し得る。この態様では、ＭＦＣＡ子どもプロセス１０は、ＭＦＣＡデータベース８において定義された(defined)許された(allowed)特徴に対して入ってくるキーパッド・エントリ１４を照合して検査する(checks)（１０から８への両方向を表す矢印によって示されるように）。現在、この種の機能性(functionality)は通常、関連するメッセージ・スイッチング・センタ(Message Switching Center)（ＭＳＣ）（示されていない）上で定義され、実行される。その代わりに、該データベースまたはその一部分は、該ＭＳにダウンロードされることが可能であり、認可は１つまたはそれより多くの希望された特徴に関して該ＭＳ上のＭＦＣＡ  ２、ＭＦＣＡ子どもプロセス１０または他のプ
ロセスにプロキシされる(proxied)ことができる。
【０００９】
データベース８は、一態様では、拡張マークアップ言語（ＸＭＬ）ファイルを含むことができる。その代わり、データベース８は、無線マークアップ言語(wireless markup language)（ＷＭＬ）ファイル、実際的抽出および報告書言語(Practical Extraction and Report Language)（Ｐｅｒｌ）ファイル、無線用バイナリ・ランタイム環境(Binary Runtime Environment for Wireless)（ＢＲＥＷ）アプリケーション（ａｐｐ）ファイル、 実行ファイル(Executables)（.ＥＸＥファイル）、Ｊａｖａ（登録商標）アーカイブ(Java ARchive) （ＪＡＲ）ファイル、Ｊａｖａ２ プラットフォーム、マイクロ・エディション(Micro Edition)（Ｊ２ＭＥ）ファイル、Ｃ＋＋ファイル、Ｃファイルのような他のコンピュータ言語、あるいは特徴、サービス、オペレーティング・システム（ＯＳ）等に依存するさらに多くの他のタイプのファイルを含むことができる。データベース８内のファイルは、どんなサービス、特徴、使用の条件、使用を決定するためのアルゴリズム、プログラム、スクリプト等が、例えば、場合に応じて、電話の所有者、事業主、通信サービスの契約者、あるいはサービス・プロバイダから、該電話の持主に利用可能なものにされるか、に関する情報を含むことができる。サービスまたは特徴は、バイオメトリック・データ、音声コマンドあるいはダイヤルされた数字（例えば、キーパッドによる）のような該電話に入力された情報、もしくは呼またはメッセージ（たとえば、ショート・メッセージ・サービス(short message service)（ＳＭＳ））のような遠隔地から送信された入ってくる情報に関するものであることができる。
【００１０】
好ましい１実施形態では、ＭＦＣＡ  ２はモバイル・オペレーティング・システム（ＭＯＳ）４によりサービスリクエスト１２に関してポート上で耳を澄ます。マルチ・スレッド(multi-threaded)多重プロセッシング(multiprocessing)アーキテクチャを有する任意のモバイル・オペレーティング・システムで十分であり得る。たとえば、少し例を挙げれば、Symbian（登録商標）、Win CE（登録商標）、Rex（登録商標）、VxWorks（登録商標）、ThreadX（登録商標）、またはNucleus（登録商標）がある。Symbian（登録商標）のようなよく知られたオペレーティング・システムが使用されることができる。しかしながら、一態様では、ＭＯＳ  ４は、全てのサービスリクエスト１２がＭＦＣＡ  ２に送られるようにするために修正される。例えば、特徴の使用に先立ったＭＦＣＡからの認可は、ＭＳにローカル(local)であり、以前にダウンロードされたアルゴリズム／スクリプト等を使用することができる。ＭＦＣＡ  ２は、次に、該サービスが該ＭＳのユーザに関してリクエストされて認可されたことを確認する(verifies)、子どもプロセスの、ＭＦＣＡ  １０を生じさせる。例えば、サービスリクエストがＭＳユーザ・エントリ１４からのダイヤルされた数字に関連して生じる場合において、ＭＦＣＡ  １０は、該リクエストが該ＭＳによってサポートされるかどうかを判断するためにデータベース８を検査する。子どもプロセスＭＦＣＡ  １０は、例えば、あるＭＦＣＡクラスに対応した"MobileFeatures.MFCA(feature_type,...)と命名される(named)ことができるＸＭＬまたはＷＭＬのコマンド呼の使用をしてデータベース８にアクセスする。追加の方法は、一会社所有の全車両の所有者等により指定される該ＭＳ上において特徴を提供するためのエンハンスメント(enhancements)として定義されることができる。例えば、該サービスリクエストは、ＭＳがＳＭＳメッセージ、ロケーション・ベースのサービス (Location Based Services)（ＬＢＳ）、キャッチホン(Call Waiting)（ＣＷＴ）、ローミング・サービスあるいは任意の数の他のサービスへのアクセスを獲得する、ことであることがき
る。アクセス可能なサービス一式は、ＭＳベースで、ユーザ、ロケーション、時間あるいは他のアルゴリズムに関してカスタマイズされ、それによって、与えられた１つまたは複数の基準にしたがってケースバイケースで複数のサービスへのアクセスを制御することができる。さらに、会社の所有者、電話レンタルサービス等のサービスのプロバイダは、顧客、契約者、従業員等のアクセスをサービスする(service)ことができる。あるＭＳに利用可能にされたサービスは、ハードウェア・インターフェース１６においてプログラミング・ポート１３を通じて追加され、修正され、あるいは削除されることができる。あるＭＳへサービス／特徴をプログラムすることは、例えば、一会社所有の全車両の所有者、ＭＳのレンタル店、事業主等から移動局へ無線で送られたデータに関連して生じることができる。
【００１１】
図２はモバイル特徴制御アプリケーション・デーモンを示す。図１に示されたＭＦＣＡ  ２およびその生じさせられた(spawned)アプリケーション、ＭＦＣＡ  １０は、モバイル特徴コントロール(mobile feature control)３内に含まれる。ＭＯＳ  ４は、ＭＳのオペレーションを処理する。ＭＳによるインプリメンテーション(implementation)が可能な特徴および機能性は、例えば、一会社所有の全車両のオペレータ、事業主等のような、機能性を制御することを意図されたエンティティによりＭＯＳ  ４にダウンロードされる。一態様では、データベース８は、特定の特徴または機能性がＭＯＳ  ４に関して認可されるかどうかを示す情報で更新される。特定のＭＳのためのアクセス可能な特徴は、そのデータベース８のコンテンツを検査することによって容易に識別されることができる。別の態様では、ＭＳは特徴の完全なまたはほぼ完全なセットを提供されることができる。しかしながら、該ＭＳから遠くはなれたロケーションからプログラムされることができる、データベース８の該コンテンツ（例えば、ＸＭＬファイルにより指定された）は、ＭＯＳ  ４に関連して実行されたどの特徴を該ＭＳのユーザが利用可能であるかを判断することができる。上記に示されるように、サービスリクエスト（ＭＯＳ  ４からモバイル特徴コントロール３への矢印により示される）は、ハードウェア・インターフェース１６によるキーパッド・エントリのようなＭＳユーザのエントリまたは入ってくる呼（あるいはメッセージ）に起因することができる。このようなサービスリクエストは、ＭＯＳ  ４により処理され（モバイル特徴コントロール３からＭＯＳ  ４への矢印によって示されるように）、その結果、特定の特徴、例えば、３者間通話、音声メール、ＳＭＳメッセージング(SMS messaging)等を示すＭＳからの出て行く信号あるいは入ってくる信号は、キーパッド・ストロークにより促されようと入ってくる呼によって促されようと、ＭＯＳ  ４により制御され、利用可能なＭＳ特徴へのゲート・キーパ(gate-keeper)のような能力をＭＯＳ  ４に提供する。例えば、おそらく、該リクエストされた機能性は、ＭＯＳ  ４へプログラムされることができる。しかしながら、与えられた特徴は、例えば、午後９：００以降の国際電話等の、ある定まった時間中のみ利用可能であることができる。ＭＯＳ  ４は、例えば、キーパッド・ストロークあるいはボタンにより要求される(sought)ことのできる特定の特徴へのアクセスを拒否することに関連して特定の特徴が許されないことを示すＭＳに関するメッセージを、該ＭＳに表示させることができる。機能性は、モバイル・オペレーティング・システムに利用可能である得る開発キット(development kit)を使用してＭＳへ容易にプログラムされることができる。さらに、ユーザは、パスワードの許可により、あるいはクレジットカードの支払いページ等に書き入れることによって、機能(function)、特徴等を使用可能にする(enable)ことができる。
【００１２】
本発明の好ましい１実施形態では、特定のＭＳにとって利用可能にされたサービス／特徴の制御は、例えば、ウェブページに埋込まれた特徴情報を備えたウェブ・サーバを使用して遠隔地から管理されることができる。警察機関のような公的機関または小さな会社により所有された１セットの移動局（ＭＳ）については、利用可能な特徴／サービスの制御およびアクセスは、安全な(secure)ウェブサイトを介して構成されることができる。
【００１３】
１実施形態においては、ＭＳ特徴構成は、ＭＳへのインターネット接続を使用して無線方法により管理されることができる。これは、埋込み型アプリケーションがＭＳにダウンロードされることを可能にする。
【００１４】
図３は、図１の概略図によって描かれたものにしたがって動作可能である各ＭＳ  ２２を含む通信ネットワーク２１を示す。移動交換センタ（ＭＳＣ）２４は、ローミングに関連してビジティング・ロケーション・レジスタ(Visiting Location Register)（ＶＬＲ）３６およびホーム・ロケーション・レジスタ(Home Location Register)（ＨＬＲ）２９上へのＭＳ登録事項と共に、公衆交換データ網(public data switching network)（ＰＤＳＮ）２６および公衆交換電話網（ＰＴＳＮ）２４のような外部ネットワークとＭＳ  ２２との間にサービスと調整(coordination)を提供する。通信ネットワーク２１は、ＭＳ  ２２が通常登録されるシステムを表わすホーム・システム３２を含む。ホーム・システム３２はＭＳＣ  ３４およびＶＬＲ  ３６を含む。ＭＳ  ２２は、ホーム・システム３２のＭＳＣ  ３４に接続された基地局コントローラ（ＢＳＣ）３８を介して放送によって (over-the-air) 地上波で(terrestrially)通信する。ホーム・システム３２はＰＴＳＮ  ２４およびＰＤＳＮ  ２６に接続される。ホーム・ロケーション・レジスタ（ＨＬＲ）４０は、ホーム・システム３２に登録された複数のＭＳの複数の登録事項(registrations)を保持するものであり、ホーム・システム３２およびサービング(serving)・システム４２に接続される。サービング・システム４２はＭＳＣ  ４４およびビジティング・ロケーション・レジスタ（ＶＬＲ）４８を含む。ホーム・システム３２およびサービング・システム４２はそれぞれ、第３者のネットワーク（示されていない）と同様に、単純な旧電話サービス（ＰＯＴＳ）、音声、データ、および／または、他のサービスをサポートし通信ネットワーク２１全体にわたる（１つまたは複数の）ＭＳ  ２２に提供する。ＭＳ  ２２に利用可能な特徴のアクセス可能性(accessibility)をプログラムすることは、一会社所有の全車両の所有者、事業主、イクイップメント(equipment)レンタル店等によって操作されることのできる遠隔局５０からおよび、またはにより与えられることができる。遠隔局５０は、ＭＳ特徴アクセス可能性の制御を維持するためのメモリおよびサーバ
のようなデータ処理機能性を含むことができる。
【００１５】
別の好ましい実施形態では、システムは、サービスのパッケージ（以下、パッケージと呼ばれる）としてひとまとめにされた１つまたはそれより多くのサービスへのアクセスの許可を決定する。システムは、ユーザ、とくに、移動局のユーザを許可する能力を事業主、通信サービスの契約者およびサービス・プロバイダに提供する。移動局は、携帯電話、無線能力を備えた携帯情報端末(personal digital assistant)、無線能力を備えたポータブルコンピュータ、ページャ(pager)あるいは他のパーソナル通信デバイスを備えることができる。好ましい実施形態の一態様のブロック図を示す図４を参照すると、パッケージ５２は移動通信端末（ＭＣＴ）２２に関連している。パッケージ５２からのＭＳＣ  ２２に利用可能なサービスは、ファイル・サーバ５６からのソフトウェア・ファイル、コード等の供給(provision)によりアクセスされることができる。サービス・プロバイダは、たとえばＡ乃至Ｚによってインデックス付けされた適切な無線またはワイヤー・ライン (wireline)指示でラベル付けされた１つまたはそれより多くのネットワークにより無線およびワイヤー・ライン・サービスを提供することができる。許可サーバ５４は、例えば音声メール、電話会議(conference calling)、電話ネットワーク・アップデート(phone network update)等の、リクエストされたサービスへのアクセスの認可または拒否のいずれかを行う。許可サーバ５４は、理想的には、バンドルされた複数のサービスを提供する委任者の制御の下に、あるいはその制御を用いて配置される。許可サーバ５４は、パッケージ５２においてバンドルされたサービスおよび／またはサービス特徴のうちの１つまたはそれより多くのものを使用する認可に関するＭＣＴ  ２２からのリクエストを評価するようにプログラムされる。ＭＣＴ  ２２は、Ａ乃至Ｚのラベルを付けられた該ワイヤー・ラインまたは無線ネットワークのうちの１つにより許可サーバ５４にリクエストを転送する。Ａ乃至Ｚのラベルを付けられた無線およびワイヤー・ラインネットワークは、インテリジェント・ネットワークおよび、または仮想ネットワークであることができる。インテリジェント・ネットワーク（ＩＮ）は、ネットワーク上のおよびネットワークから外れた様々なネットワーク・ノードの両方にフレキシブルに(flexibly)分散されるための機能性を提供する。さらに、インテリジェント・ネットワークのアーキテクチャはパッケージ中のサービスの該バンドルを制御するように修正されることができる。仮想ネットワークは、ネットワークＡ乃至Ｚのうちの１つを使用して提供されることができる。仮想ネットワークは、ハードワイヤード使用ではなく、主に、必要とされたときに、既存のネットワークの拡張においてプログラミングにより形成されることができる。新しい、「インテリジェント」ネットワーク・ノードおよび特別のネットワーク・コンポーネント(components)ならびに既存の交換(exchanges)を拡張するための追加の機能は、該ネットワークへ導入される。インテリジェント・ネットワークのアーキテクチャは、主に、サービス・スイッチング・ポイント(service switching point)（ＳＳＰ）のオペレーションから得られ、それは、接続を内部でセット・アップするための「インテリジェント」ネットワーク��ノードとして使用されたサービス制御ポイント（ＳＣＰ）の拡張ならびに既存のデジタルのローカルまたは中継線交換局の拡張として導入される。
【００１６】
許可サーバ５４へのアクセスはＭＳＣによって生じる必要はない。それ故、別の実施形態においては、許可サーバ５４へのパスは、８０２．１１（Ｗｉ−Ｆｉ）、イーサネット（登録商標）仮想インターフェース、ユニバーサル・シリアル・バス（ＵＳＢ）、ドッキング・ステーション(docking station)、イーサネット・ケーブル等によって生じることができる。
【００１７】
ユーザは、ある定まった特徴、サービス等へのアクセスを、両者とも許可サーバ５４と接触している間に、あるいは許可サーバ５４と接触していない間に、予め許可されることができる。この態様は、とくに、例えば、ジオフェンス(geofence)、データ・アクセス、コンピュータ支援修理(computer assisted repair)等、セルラー・サービス・エリア(cellular service area)外にある間に顧客または事業主プロプラエタリな（proprietary）特徴またはサービスを実行するモバイルに有用である。
【００１８】
図５は、ＭＳ  ２２の内の移動局特徴制御デーモンの機能性をさらに示す概略図を示す。１つの好ましい実施形態では、ＭＯＳ  ４は、例えば、ＩＳ−７０７プロトコルを使用して放送によるパラメータ局(Over-the-Air Parameter Administration)（ＯＴＡＰＡ）あるいはＯＴＡＳＰを介して移動交換センタ（ＭＳＣ）４４から入力を受信することができるアプリケーションを用いて修正されることができる。ここに記載されているモバイル特徴コントロール（ＭＦＣ）３は、各リクエストを用いてサービスがそれによって確認される(verified)、ＭＯＳ  ４へのインターフェースを提供する。特徴データベースによって示されるように、リクエストされたサービスがサポートされない場合、その特徴へのアクセスは拒否される。ＭＦＣ  ３は、特徴制御データとして印を付けられたＭＯＳ  ４からの入力を受け取る。このデータはその後、データベース８のような特徴データベース中に記憶される。
【００１９】
ＭＦＣ  ３は、ダウンロード可能なソフトウェア・アプリケーションによって提供され得ると考えられる。ＭＳ  ２２へ該アプリケーションをダウンロードするためのメカニズムは、ＭＳに応じて異なることができる。例えば、ある場合には、該ＭＦＣアプリケーションは通信サービス・プロバイダからダウンロードされるであろう。
【００２０】
１実施形態においては、サービスリクエストおよびＭＳ  ２２上の全てのダイヤルされた数字は、ＭＦＣ  ３内のモバイル特徴制御アプリケーション（ＭＦＣＡ）（示されていない）に送られる。ＭＦＣＡはその後、該リクエストされたサービスを、特徴データベース８において許されたサービスと比較する。データベース８中の特徴は、該ＭＳ  ２２のユーザによる変更に関してアクセス可能ではない。該特徴は、ＭＳ  ２２にアクセスした遠隔局５０におけるオペレータによってのみ変更されることができる。
【００２１】
別の実施形態においては、典型的に通信サービス・プロバイダによって所有されるＭＳＣによりサービス及び特徴へアクセスすることではなく、上述された該モバイル特徴制御アプリケーション・デーモンを使用することに加えて、これらの特徴およびサービスは、インターネットを使用してプロプラエタリな非同期転送モード（ＡＴＭ）ネットワーク（あるいは非同期転送モード状のネットワーク）を通って提供されることができる。該ＡＴＭネットワークの容量はシステム・ニーズを満たすように自動的に調整し、また、帯域幅は要求があり次第割当てられる。
【００２２】
図６は、上述されたモバイル特徴制御アプリケーション・デーモンと共に使用されることができる１実施形態のあるシステム・ビューを示すブロック図を示す。図６を参照すると、パケット交換データネットワーク(packet switched data network)（ＰＤＳＮ）２６は、（１つまたは複数の）ＡＴＭルータ１１４を接続するために使用される。例えば、ＡＴＭルータの接続は、広域ネットワーク（ＷＡＮ）の一部を形成することができる。各ＡＴＭルータ１１４は、特定のペイロード・タイプの情報のルート・パスを指定するルート・リストを含む。該ペイロード情報は、ＡＴＭルータがＡＴＭセルと呼ばれるデータの固定長シーケンスへ転送する固有(native)データから形成される。一般に、ＡＴＭセルは、そのデータがＡＴＭネットワークに入力するとＡＴＭスイッチまたはＡＴＭルータによって形成される１組のデータである。サービスのパッケージ５２は、インターネットを使用して該ＰＳＤＮにわたって接続を提供するＡＴＭルータ１１４によって形成された該ＡＴＭネットワークに接続している(hangs off)許可サーバ５４によりアクセスされる。
【００２３】
移動局（示されていない）への特徴およびサービスの制御は、該移動局において実施され、事業主等のような該移動局から遠く離れたエンティティによって決定されたデーモンによって行われることができる。無線ネットワーク１１７（例えば、示されているようなネットワークＡ乃至Ｚ）へのおよびそれらからのデータは、１実施形態において、セッション開始プロトコル（ＳＩＰ）ゲートウェイ１１８を通って供給される。ＳＩＰは、無線電話ネットワークのような電話ネットワークとインターネットとの間の通信を可能にするプロトコルである。例えば、ＩＰアドレスはＩＰアドレスを電話番号に翻訳することができ、またその逆に翻訳することができる。さらに、ＳＩＰは、インターネットに接続されたデバイスと無線電話ネットワークとの間の双方向翻訳を提供して、無線電話ネットワークへの該インターネットによるインスタント・メッセージング(instant messaging)を許す手段(vehicle)として使用されることができる。別の実施形態においては、Ｈ．３２３プロトコルに適合する(based off of)ゲートウェイが使用されることができる。
【００２４】
図７は、その宛先であるサーバ１０９に、ＡＴＭネットワークを備えたルータ１１４を通って仮想パス１０７に沿って移動するＡＴＭセル１０６を示す。ＡＴＭセル１０６の分解組立図は図２にも示されている。取り決めによって、各ＡＴＭセル１０６は、ペイロードの４８オクテット(octets)によって後続されたヘッダ情報の５オクテット（８ビットバイト）を含む。該ヘッダ（例えば、示されているユーザ・ネットワーク・インターフェース（ＵＮＩ）ヘッダ・フォーマットあるいはネットワーク・ツー・ネットワーク・ヘッダ・インターフェース）は、データのルーティングを適切に行う(route)ために、および必要なサービスの品質（ＱｏＳ）を保証するために、ＡＴＭルータおよびスイッチにより使用されるいくつかのフィールドを含む。ヘッダ・データは該セルを識別し、ルーティング(routing)を決定する論理アドレスを有し、そして優先権および管理のビット(priority and management bits)を含む。ネットワーク・トラヒックは許容可能なＱｏＳより下に落ちないという前提に基づいて、ヘッダを越えて誤り訂正は提供されない。仮想チャネル識別子（ＶＣＩ）および仮想パス識別子（ＶＰＩ）によって識別されるような情報は、その種のデータのための該ルート・リストによって指定された特定の宛先へルーティングされる(routed)。仮想チャネルは、複数のＡＴＭセルが仮想パスに沿って様々な宛先へ切り替えられることを可能にするネットワークを横切る(across)単一の接続である。ＡＴＭは、データ転送に関連して２つのポイント間に１つのある固定のチャネルまたはルートを生成する。ＡＴＭは、例えば、データが複数のパケットに分割されて各パケットがソース(source)から宛先に非固定ルートをとることのできる伝送制御プロトコル／インターネット・プロトコル（ＴＣＰ／ＩＰ）と区別されることができる。したがって、ＡＴＭセルはソースから宛先への特定のルートを指定するが、ＴＣＰ／ＩＰは、異なるルートを経由して宛先に到達するためにその同じ宛先に向けられた複数のパケットをもたらすことができる。ＴＣＰ／ＩＰにまさるＡＴＭの１つの利点は、ＡＴＭの固定ルート・プロパティが、データの追跡を、および、場合によっては、ＴＣＰ／ＩＰと比較して、ネットワークによって転送されたデータの請求書(bill)の追跡をより容易にすることである。ＶＣＩは各ＡＴＭセル内の１６ビットのフィールドであり、それは該ＡＴＭセルが送られるべき固定チャネルを定義する。ＶＰＩは、ＡＴＭセルがネットワークによってどこに移動するのかを示す８ビットのフィールドである。ＡＴＭセルは非同期的な方式でＡＴＭネットワークを通ってストリーム(streams)で移動する。ＡＴＭの接続指向の性質は、固定タイムスロットに基づいてではなく、ＡＴＭセルが利用可能な時に、該ＡＴＭネットワークのユーザが１つのストリームに入ることを可能にする。ＡＴＭネットワークは典型的に１５５．５２および６２２．０８Ｍｂｓでデータを転送する。仮想チャネル識別子により識別されるように、複数のセルはある１つの仮想チャネル（ＶＣ）にランダムに割当てられ、該ＡＴＭネットワークへ多重化される。大量の関連データが解体されて、１つより多くのＡＴＭセル中に含まれることができるため、複数のＡＴＭセル１０６中のデータは、該ネットワークを出発して、その宛先のサーバ１０９に到着したセルに関連して、示された点線の使用によって記された、セグメント化および再組立て(Segmentation and Reassembly)（ＳＡＲ）のプロセスによってその固有フォーマットに再組立てされる(reassembled) ことができる。図７において、通常ＭＳＣに関連付けられている、リング・バック・トーン、３者間通話、キャッチホン、音声メール、インスタント・メッセージング（テキスト・メッセージング(text messaging)）等のような、１つのパッケージ（示されていない）中に含まれたあるいはそれにより可能にされた特徴は、インターネットを介して接続された（１つまたは複数の）ルータ１１４を使用して形成された、ＡＴＭネットワークによってバイパスされて(bypassed)処理されることができる。ＭＳＣによるトラヒックは、電話サービス・プロバイダの主要な請求書送付手段を提供する。該ＭＳＣをバイパスしてインターネットによって進行することにより、従来のサービス・プロバイダに起因するコストを著しく低減させることができる。さらに、サービスの品質の問題は、より多くの制御を用いて対処され得る。ＡＴＭネットワークによってパッケージ特徴を処理することに加えて、上述されたモバイル特徴制御デーモンは、事業主、イクイップメント・レンタル店等のようなエンティティによって指定される特徴の制御を可能にする。
【００２５】
図８は、一会社所有の全車両を制御するディスパッチャと共に動作することのできる車両１１６によって運ばれた移動通信端末（ＭＣＴ）１０４を示す１つの実施形態の概略図を示す。ＭＣＴ  １０４は、特徴制御デーモンを含む図３、４および５に示され、そして上述されたＭＳ  ２２の機能性の全てを含む。パッケージ５２からＭＣＴ  １０４が利用可能なサービス（ここにおいて一貫して使用されている「サービス」および「特徴」は交換可能なものであり、一方が他方を含む）は、データ、ソフトウェア・ファイル、コード等の供給を通じてアクセスされることができる。パッケージ５２はさらに、典型的にＭＳＣによる制御または請求書の作成送付を行われないサービス、アプリケーション、能力(abilities)を含むことができ、そこでは所有者あるいは許可サーバ５４による他のパーティ(party)は、それらの能力、アプリケーションおよびサービスの使用およびアクセスに対する制御を維持する。許可サーバ５４は、遠隔局５０（すなわち、特徴アクセスを制御するエンティティ）からの認可された基準あるいはコマンドに加えて、例えば、特定のエンドユーザ権、時刻、移動通信端末の現在のロケーション等、に基づいた、非常に多くの(a plethora of)基準に関連してパッケージ５２からのファイル、コード等の転送を認可するか、あるいは否定する。これは、リクエスト時におよび必要に応じてＭＣＴ  １０４に関するアクセス権を変更する能力を遠隔局５０に与える。サービスへの  最終的なアクセスは、図１、２、４および５を考慮して上記に説明されているＭＣＴ  １０４内の特徴制御デーモン（示されていない）によって決定される。ＭＣＴ  １０４は、１つまたはそれより多くのバイオメトリック・センサ（パッケージ中に含まれる特徴へのアクセスを求めるユーザを許可するおよび／または識別するための）、データ（例えば、パッケージ・アクセスのためのユーザ識別データ）を入力するためのキーパッドのような通信インターフェース、および１つの受信機および送信機（示されていない）を含むことができる。バイオメトリック・センサは、指紋読取装置、網膜スキャナ(retinal scanner)あるいは音声認識デバイスであることができる。ＭＣＴ  １０４は、ＭＣＴ  １０４にダウンロードされるソフトウェアを完了すること(completing)あるいはソフトウェアを活動化することを介してパッケージ５２から許可あるいは活動化を単に要求するソフトウェアのフル・コンポーネント(full complement)を含むことができる。パッケージ５２はそれ自体、サーバＡＴＭネットワーク１８によりアクセス可能な１つまたはそれより多くのロケーションあるいはサーバを表わすことができる。
【００２６】
図９は例示的なＭＣＴ  １０４のブロック図を示す。ＭＣＴ  １０４は、中央処理装置（ＣＰＵ）２００、ランダム・アクセス・メモリ（ＲＡＭ）２２１、読出し専用メモリ（ＲＯＭ）２２２、ディスプレイ２２３、ユーザ入力デバイス２２４、トランシーバ２２５、マイクロホン２２６、スピーカ２２７、全地球測位システム（ＧＰＳ）受信機２２８、およびアンテナ２２９を含む。ＲＯＭ  ２２２はＣＰＵ  ２００に結合され、ＣＰＵ  ２００によって実行されるべき複数のプログラム命令を記憶する。ＲＡＭ  ２２１はまたＣＰＵ  ２００に結合され、それは一時的プログラム・データ(temporary program data)を記憶する。ＲＡＭ  ２２１およびＲＯＭ  ２２２は、パッケージ５２の（図１）の特徴を実施するために必要なソフトウェアの選択された複数の部分を記憶することができる。パッケージ５２からダウンロードされた、および特徴制御デーモンを実施するモバイル特徴コントロール３を介してアクセス可能なものにされたアクセス・ソフトウェアあるいはコードは、パッケージ特徴を使用するユーザの能力を、ＣＰＵ  ２００をプログラムすることに関連して、決定する。アクセスおよび活動化の権利ならびに他のデータは、モバイル特徴コントロール３の特徴制御デーモンの機能性によってゲートされるＣＰＵ  ２００によりおよび／またはこれを通じて処理されることができる。該必要なソフトウェア（例えば、ＲＯＭ  ２２２またはＲＡＭ  ２２１へダウンロードされた１つのプログラムの一部分またはスクリプト、プログラム、コード）がＭＣＴ  １０４でロードされることにより、パッケージ特徴の活動化あるいはパッケージ特徴の非活動化は迅速に行われることができる。これは、アクセス間を変更するために少量のコードが受信される必要があるに過ぎないか、あるいは、該特徴制御デーモンの使用に関連して許可が受信される必要があるに過ぎないかのいずれかだからである。ユーザ入力デバイス２２４は、キーパッド、タッチパッド・スクリーン、トラックボール等を含むことができる。プログラムのこのような部分またはスクリプト、プログラム、コードが存在するなら、ＭＣＴ  １０４の標準的なオペレーションの期間中に、ＭＦＣＡはアクセスされる必要がない。この場合、該コード、プログラム等は一度許可され、その後に、該ダウンロードされたコード／プログラム等はそれ自体をその所定の寿命(lifespan)期間中監視する。ユーザ（示されていない）は入力デバイス２２４を使用して、メニューによってナビゲートし(navigate)、メッセージを生成し、ルート情報および他の機能(functions)をリクエストする。ディスプレイ２２３は、陰極線管（ＣＲＴ）、液晶ディスプレイ（ＬＣＤ）あるいは他のユーザ知覚可能なデバイスのような出力デバイスである。該ユーザはディスプレイ２２３を使用して、無線ネットワーク２１７によって顧客あるいは他のユニット（別のＭＣＴのような）から送信された他のデータまたは復号されたメッセージを読むことができる。
【００２７】
好ましい１実施形態においては、特徴アクセスは、読出し専用メモリ（ＲＯＭ）またはランダム・アクセス・メモリ（ＲＡＭ）へダウンロードされたプログラムの部分またはスクリプト、プログラム、コードによって実現される必要はない。
【００２８】
マイクロホン２２６およびスピーカ２２７は、提供時に、トランシーバ２２５に結合されたハンドセット(handset)に組み込まれることができる。マイクロホン２２６およびスピーカ２２７はまたＭＣＴ  １０４のユーザとのハンズ・フリー(hands-free)の通信を可能にするために物理的にさらに離されることができる。このモードにおいて、トランシーバ２２５は、処理のためにＣＰＵ  ２２９へ転送されるデータに音声を変換することのできる音声活動化回路を含むことができる。データはシリアル・バス２３１によってＣＰＵ  ２００に送信される。トランシーバ２２５は、無線ネットワークでデータおよび音声信号を通信するために必要な命令セットを含む。１実施形態では、トランシーバ２２５は符号分割多元接続（ＣＤＭＡ）、広帯域ＣＤＭＡ（ＷＣＤＭＡ）、ユニバーサル移動電話システム(Universal Mobile Telephone System)（ＵＭＴＳ）、モバイル用グローバル・システム(Global System for Mobile)（ＧＳＭ（登録商標））、Ｗｉ−Ｆｉ（電気電子工学協会（ＩＥＥＥ）８０２．１１）、バースト・トレランス(burst tolerance)（ＢＴ）、時分割多元接続（ＴＤＭＡ）、あるいは直交周波数分割多元接続（ＯＦＤＭＡ）プロトコルをサポートする。しかしながら、時分割多元接続と周波数分割多元接続のような他のプロトコルがサポートされることができる。使用された無線ネットワークはデータおよび音声信号の両方をサポートする。トランシーバ２２５は、無線通信ネットワーク１１７（図６に示されている）と信号を通信するためにアンテナ２２９に結合される。データ信号がトランシーバ２２５によって受信されるとき、該受信されたデータはシリアル・バス２３１によってＣＰＵ  ２００に転送される。該データはテキスト・メッセージ、トラヒック更新(updates)、道路ナビゲーション、目的地、マルチプルの目的地の順序優先度、天候、事故、工事あるいは他の道路網状態データへの示唆された(suggested)変更あるいは他の情報を含むことができる。このようなデータを受信する能力または用途(use)は、パッケージ５２（図６）へのユーザのアクセス権によって制約され得る。該データはまた、ＭＣＴ  １０４の特定のユーザに関するパッケー
ジ・アクセス権および許可のようなソフトウェア更新を含むことができる。トランシーバ２２５は、技術的に知られている種々の位置決め (position-location)システムの１つまたはそれより多くのものから位置および速度ベクトル信号を受信することが可能であり得る。１実施形態において、ＣＰＵ  ２００はまた、トランシーバ２２５に、１つのＧＰＳ衛星（示されていない）から１つのＧＰＳ信号を受信し、該ＧＰＳ信号を復号して位置およびタイミング情報を抽出するように命令することができる。
【００２９】
ＭＣＴ  １０４へのダウンロードされたデータまたはコードは、ＭＣＴ  １０４への機能性およびパッケージ５２特徴を強化(enhance)または増大する(add to)ために使用されることができる。例えば、ＭＣＴ  １０４の特徴へのアクセスを制御するエンティティは、ＭＣＴ  １０４への更新またはアクセサリ(accessories)のような有用なパッケージ５２特徴のダウンロードを引き起こすことができる。その代りに、アクセスを制御するエンティティは、業務(business)等を実行するのに有用であるネットワークベースのサービスを提供する加入者サービスへアクセスする能力をユーザに与えることができる。さらに、画像、スクリーンセイバー、音楽、呼出し音、ゲーム、あるいはそれ以上のもののようなエンターテイニング特徴(entertaining features)は、ＭＣＴ  １０４が利用可能なものにされることができる。
【００３０】
クゥアルコム社によるＧｌｏｂａｌＴＲＡＣＳ（登録商標）のような、イクイップメント管理ソリューション(equipment management solutions)を提供する無線イクイップメント・システムは、イクイップメントがどのようにして使用されるか、イクイップメントがいくらで使用されるか、ならびにそのイクイップメントのロケーションに関する仮想情報を自動的に収集し、編成し(organize)、そして送信する。この情報はとくに、イクイップメント、具体的には、建設イクイップメント(construction equipment)を所有するか、契約するか、配送するか(distributing)、あるいは賃貸する(renting)エンティティに有用である。イクイップメント管理ソリューション・システムは、イクイップメントの使用を制御することができる。このタイプの情報は、たとえば、イクイップメントの部品またはシステムの使用時刻および、または使用時間を追跡するセンサによって報告されることができる。イクイップメント管理ソリューション・システムは、イクイップメントの部品が事前設定された境界の外側に移動した時を示すデータを含む全地球測位システム（ＧＰＳ）ベースのイクイップメント・ロケーション情報を提供することができる。例えば、ある定ったオペレータによるイクイップメントの使用の許可は、他のものよりさらに制限された性質のものであることができる。他の１実施形態の概略図を示す図１０を参照すると、トラック１１６上の監視されたイクイップメントの部品を表わすトラック１１６上のＭＣＴ  １０４に関連したハードウェア／ソフトウェア３００の機能性は、許可サーバ５４に関連してパッケージ５２からダウンロードされたファイルまたはコードによって管理される(govern governed)ことができる。他の１実施形態において、パッケージ５２からダウンロードされたファイルまたはコードは、ＡＴＭネットワーク３１８によってならびに１つまたはそれより多くの基地局３０２を含む無線通信ネットワーク１１７によって許可サーバ５４に関連した特徴制御デーモンからの許可の受信と共に生じる。特徴制御デーモンによって与えられたアクセス権によって特徴アクセスが決定されることに加えて、ＭＣＴ  １０４はまた、ＡＴＭネットワーク３１８によって遠隔局５０（すなわち、特徴アクセスを制御するエンティティ）に、あるいは許可サーバ５４に許可に関するリクエストをすることができると考えられる。ダウンロードされたコードおよび／またはファイルは、特別の目的のためのセンサ３０５の活動化あるいは構成(configuration)のようなパッケージ５２中の、ＭＣＴ  １０４のユーザが利用可能な１つまたはそれより多くのサービスの使用を可能にし得る。この目的は、例えば、特別のセキュリティ・デバイス(security device)または警報システムを活動化するか、あるいは非活動化する働きをする(serve to )ことができる。例えば、もしもＭＣＴ  １０４のユーザがセンサ３０５のセキュリティ特徴を非活動化するために追加のプログラミング・コードあるいはファイルを要求した場合、ファイル・サーバ３１９はＰＤＳＮ  ２６により接続されたＡＴＭネットワーク３１８を通って許可サーバ５４によるユーザの許可と共に、無線通信ネットワーク１１７により該要求された情報を提供することができる。その代りに、ＭＣＴ  １０４は���レーラ３３９のセンサ３３８上の機能を活動化するためにＡＴＭネットワーク３１８および無線通信ネットワーク１１７によってパッケージ５２の情報を、追加のファイルあるいはコードをダウンロードする必要なしに、得ることができる。例えば、センサ３０５は、セキュリティ、安全性あるいは登録簿(inventory)関連特徴の活動化あるいは検出を可能にするために十分な情報を受信することができる。
【００３１】
無線通信ネットワーク１１７は、衛星３０を含む衛星ネットワーク、セルラー電話ネットワーク(cellular telephone network)あるいは他の無線の音声および／またはデータ通信ネットワークを含むことができる。ＭＣＴ  １０４は、車両内に取り付けられることができ、あるいは無線ネットワーク１１７の動作境界内に最適に地理的に位置するモバイル・デバイスの一部であることができる。
【００３２】
図１０を参照すると、ネットワーク管理センタ（ＮＭＣ）３４８は、無線ネットワーク１１７によって複数のＭＣＴ  １０４に結合される。ＮＭＣ  ３４８は、１つまたはそれより多くの顧客３５０、ディスパッチ・センタ３５２、他の指定された（１つまたは複数の）官庁、荷送り人(shippers)、荷受人(consignees)、政府の機関、家族のメンバー、（５４で一般的に示された全て）等とＭＣＴ  １０４との間の通信用の中央ルーティング局(central routing station)として動作する。ＮＭＣ  ３４８は、該インターネット、ダイヤルアップ接続、無線通信システム、ローカル・エリア・ネットワークによって、あるいは好ましくはＡＴＭネットワーク３１８を使用してインターネットにより、顧客３５０、ディスパッチ・センタ３５２および指名されたもの(designees)５４に結合されることができる。ＮＭＣ  ３４８は、ＡＴＭネットワーク１８を通ってインターネットにより、あるいはインターネットを介して単純な旧電話サービス（ＰＯＴＳ）によって、Ｔ１またはＴ３のような専用通信回線、無線接続を介して無線通信ネットワーク１１７に結合されることができる。パッケージ５２からの特徴は、許可サーバ５４によって提供されたアクセスに関してＮＭＣ  ３４８に結合された様々なエンティティに提供されることができる。別の実施形態においては、ＮＭＣ  ３４８は、少なくともある部分無線通信ネットワーク(a portion wireless communication network)１１７と同じ場所に配置される(co-located)。例えば、ＮＭＣ  ３４８は、衛星地球送信／受信局(satellite earth transmission/reception station)と同じ場所に配置されることができる。ＭＣＴ  １０４からＮＭＣ  ３４８への信号は逆方向リンク上で送られるが、ＮＭＣ  ３４８とＭＣＴ  １０４との間の通信リンクは一般に順方向リンクと呼ばれる。順方向リンク上で通信されたデータは、地理的なロケーション情報、配送および車両の状態、別のＭＣＴ  １０４からの符号化された音声通信および指令、命令、道路状況情報、ならびにＮＭＣ  ３４８からの音声通信を含むことができる。さらに、パッケージ特徴は、順方向リンク上でＭＣＴ  １０４に提
供されることができる。ＮＭＣ  ３４８は、指名されたもの３５４および／または顧客３５０および／またはディスパッチ・センタ３５２（顧客のニーズにしたがって車両をディスパッチすることのできる）のようなエンティティによって決定されるＭＣＴ  １０４中の特徴制御デーモン３によるアクセス情報の受信を生じさせることができる。好ましい実施形態では、ＭＳＣｓ（示されていない）を回避し、通信がより容易に制御されることを可能にし、コストが最小限にされることを可能にすると同時に、すべての通信ニーズが供される。
【００３３】
先のものによって対処された１つの概念は、許可サーバにアクセスをリクエストする一方で、呼を接続する時間を減少させることを含む。スイッチは、毎時いくつの呼が処理されることができるかによってしばしば判断される(judged)。呼の試みの増加により、サービス・プロバイダは顧客への請求書送付をできる限り早く開始することを希望する。請求書送付は一般に呼が接続される時から始まる。移動局（移動通信端末）のバックグラウンド・プロセスとして実行する上述の特徴制御デーモンは、おそらく、該ＭＳ（ＭＣＴ）での分散した多重プロセッシング(multiprocessing)および並列処理を可能にすることにより請求書送付がもっと早く行われるようにすることができる。例えば、接続がＭＳ（ＭＣＴ）になされると同時に、許可サーバからの許可が求められることができる。さらに、サービスへのアクセスがネットワークを通って求められているとき、該デーモンは呼の試みの期間中に実行し、同時に適切なルートを見出だして該呼を完了することができる。
【００３４】
別の方法において、ユーザは特定の特徴へのアクセスをリクエストすることができる。該リクエストは、該特徴を使用する許可をユーザに与えることのできる許可サーバにルーティングされる。その後、プログラム、スクリプト、コード、動的リンク・ライブラリ(dynamic Link Library)（ＤＬＬ）あるいは部分的プログラム(partial program)は、希望するサービスまたは特徴などへのアクセスを提供するモバイルデバイス（ＭＳ、ＭＣＴなど）にダウンロードされる。その時点以降は、許可サーバにさらにリクエストするＭＦＣＡプロセッサの関与は必要ない。その代わり、該プログラム、スクリプト、コード、ｄｌｌあるいは部分的プログラムは、許可サーバまたはＭＦＣＡの支援を要求せずに、時間、使用された時間、支払われた時間等に基づいて該サービスまたは特徴の使用を削除するか、抑制するか、そうでなければ禁止する内部ディスエーブラ(internal disabler)を含むことができる。
【００３５】
本願発明は複数の特定の実施形態を参照して説明されたが、これらの実施形態は本願発明の複数の原理および適用を単に例証しているに過ぎないことが理解されるべきである。例えば、ここに引用されたモバイルデバイスは、モバイルデバイスに関連したアクセスに関連して説明されているが、特徴アクセスは、モバイルデバイスのユーザの識別(identity)に依存することができることも意図されている。したがって、該ユーザの該識別に関連して、特徴および／またはサービスへのアクセスは異なり得る。
【００３６】
したがって、示された複数の実施形態への多数の修正が行われることができ、また、他の複数の取り合せ(arrangements)は添付された複数の請求項によって規定される本願発明の技術的範囲を逸脱することなく考案され得ることが理解される。
【図１】
2012231507.tif 000003
【図２】
2012231507.tif 000004
【図３】
2012231507.tif 000005
【図４】
2012231507.tif 000006
【図５】
2012231507.tif 000007
【図６】
2012231507.tif 000008
【図７】
2012231507.tif 000009
【図８】
2012231507.tif 000010
【図９】
2012231507.tif 000011
【図１０】
2012231507.tif 000012
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
下記を具備する、移動局においてサービスにアクセスする方法、
前記移動局から、前記移動局から遠く離れた所有者エンティティへと、前記所有者エンティティによって提供されるサービスのパッケージの特徴にアクセスするために無線ネットワークを通じて許可コードを送ること、ここで、前記無線ネットワークは、非同期転送モード（ＡＴＭ）ネットワークに結合される、
前記所有者エンティティが前記移動局から遠く離れた許可サーバを通じた前記特徴へのアクセスを認可した、というインジケーションを受け取ること、
前記移動局に結合された特徴制御デーモンによって前記特徴にアクセスすること、ここで、前記特徴は、前記ＡＴＭネットワークを通じて提供される。
【請求項２】
前記特徴は、別のエンティティのプロプライエタリな所有権下にある移動交換センタ（ＭＳＣ）を通じたルーティングなしにアクセスされる、請求項１記載のサービスにアクセスする方法。
【請求項３】
前記特徴は８０２．１１接続を使用してアクセスされる、請求項２記載の方法。
【請求項４】
前記プロプライエタリな所有権は、前記別のエンティティの事業部、子会社または系列会社であることによる所有権を含む、請求項２記載の方法。
【請求項５】
前記特徴は、リング・バック・トーン、３者間通話、キャッチホン、音声メール、テキストメッセージング、またはそれらの組合せからなるグループから選択される、請求項１記載のサービスにアクセスする方法。
【請求項６】
前記特徴およびサービスの前記パッケージは、電話をかけることに直接的には結びつけられない特徴およびサービスを含む、請求項１記載のサービスにアクセスする方法。
【請求項７】
下記を具備する移動通信システム、
無線通信ネットワーク、
前記無線通信ネットワークに結合された非同期転送モード（ＡＴＭ）ネットワーク、
前記ＡＴＭネットワークに接続された許可デバイス、ここで、前記許可デバイスは、所有者エンティティからの指示に基づいて前記所有者エンティティによって提供されるサービスのパッケージのうちの少なくとも１つの特徴の使用について許可を提供するように構成される、
前記所有者エンティティから遠く離れたところに位置する、前記許可デバイスからの提供された許可に基づいて前記少なくとも１つの特徴へのアクセスを許可するように構成された特徴制御デーモンを備える、移動通信端末、
前記少なくとも１つの特徴は、前記ＡＴＭネットワークによって提供され、前記許可デバイスを通じてアクセス可能であり、前記所有者エンティティによって選択される。
【請求項８】
前記無線通信ネットワークは複数の移動通信端末に結合される、請求項７記載の移動通信システム。
【請求項９】
前記移動通信端末の許可されたユーザのセットは、別のエンティティのプロプライエタリな所有権下にある移動交換センタ（ＭＳＣ）を通じた通信のルーティングなしに、少なくとも１つの特徴にアクセスすることができる、請求項８記載のシステム。
【請求項１０】
前記プロプライエタリな所有権は、前記別のエンティティの事業部、子会社または系列会社であることによる所有権を含む、請求項９記載のシステム。
【請求項１１】
前記少なくとも１つの特徴は、リング・バック・トーン、３者間通話、キャッチホン、音声メール、テキストメッセージング、他の特徴またはそれらの組合せからなるグループから選択される、請求項７記載のシステム。
【請求項１２】
前記非同期転送モード（ＡＴＭ）ネットワークは、インターネットを通じて互いに接続された複数のルータを含む、請求項７記載のシステム。
【請求項１３】
前記非同期転送モード（ＡＴＭ）ネットワークは、パケット交換データネットワーク内に接続される、請求項７記載のシステム。
【請求項１４】
前記非同期転送モード（ＡＴＭ）ネットワークは、データ交換データネットワーク内に接続される、請求項７記載のシステム。
【請求項１５】
前記無線通信ネットワークは、ＣＤＭＡ、ＷＣＤＭＡ、ＵＭＴＳ、ＧＳＭ、８０２．１１、ＢＴ、ＴＤＭＡまたはＯＦＤＭＡネットワークから選択されるネットワークからなる、請求項７記載のシステム。
【請求項１６】
前記許可デバイスは、ソース・コード、実行ファイル、スクリプト、データのダウンロード、特定のエンドユーザ権、時刻、移動通信端末の現在のロケーション、またはそれらの組合せから選択される、前記所有者エンティティによって制御される基準に関連して、少なくとも１つの特徴の使用について許可を提供する、請求項７記載のシステム。
【請求項１７】
下記を具備する、特徴のセットを許可する方法、
非同期転送モード（ＡＴＭ）ネットワークに結合された無線ネットワークを通じて、移動局から遠く離れた所有者エンティティに関連付けられた許可サーバにおいて、特徴の前記セットへのアクセスに関する前記移動局からの許可リクエストを受け取ること、ここで、特徴の前記セットは、前記所有者エンティティによって提供される、
前記許可サーバによって、移動局ユーザ、移動局ロケーション、または時間のうちの少なくとも１つに基づいて特徴の前記セットへのアクセスを可能にすることを決定すること、
前記決定のインジケーションを前記移動局に送ること、ここで、前記移動局の特徴制御デーモンが、前記ＡＴＭネットワークを通じて特徴の前記セットにアクセスする。
【手続補正２】
【補正対象書類名】明細書
【補正対象項目名】００３２
【補正方法】変更
【補正の内容】
【００３２】
図１０を参照すると、ネットワーク管理センタ（ＮＭＣ）３４８は、無線ネットワーク１１７によって複数のＭＣＴ  １０４に結合される。ＮＭＣ  ３４８は、１つまたはそれより多くの顧客３５０、ディスパッチ・センタ３５２、他の指定された（１つまたは複数の）官庁、荷送り人(shippers)、荷受人(consignees)、政府の機関、家族のメンバー、（３５４で一般的に示された全て）等とＭＣＴ  １０４との間の通信用の中央ルーティング局(central routing station)として動作する。ＮＭＣ  ３４８は、該インターネット、ダイヤルアップ接続、無線通信システム、ローカル・エリア・ネットワークによって、あるいは好ましくはＡＴＭネットワーク３１８を使用してインターネットにより、顧客３５０、ディスパッチ・センタ３５２および指名されたもの(designees)３５４に結合されることができる。ＮＭＣ  ３４８は、ＡＴＭネットワーク１８を通ってインターネットにより、あるいはインターネットを介して単純な旧電話サービス（ＰＯＴＳ）によって、Ｔ１またはＴ３のような専用通信回線、無線接続を介して無線通信ネットワーク１１７に結合されることができる。パッケージ５２からの特徴は、許可サーバ５４によって提供されたアクセスに関してＮＭＣ  ３４８に結合された様々なエンティティに提供されることができる。別の実施形態においては、ＮＭＣ  ３４８は、少なくともある部分無線通信ネットワーク(a portion wireless communication network)１１７と同じ場所に配置される(co-located)。例えば、ＮＭＣ  ３４８は、衛星地球送信／受信局(satellite earth transmission/reception station)と同じ場所に配置されることができる。ＭＣＴ  １０４からＮＭＣ  ３４８への信号は逆方向リンク上で送られるが、ＮＭＣ  ３４８とＭＣＴ  １０４との間の通信リンクは一般に順方向リンクと呼ばれる。順方向リンク上で通信されたデータは、地理的なロケーション情報、配送および車両の状態、別のＭＣＴ  １０４からの符号化された音声通信および指令、命令、道路状況情報、ならびにＮＭＣ  ３４８からの音声通信を含むことができる。さらに、パッケージ特徴は、順方向リンク上でＭＣＴ  １０４に提供されることができる。ＮＭＣ  ３４８は、指名されたもの３５４および／または顧客３５０および／またはディスパッチ・センタ３５２（顧客のニーズにしたがって車両をディスパッチすることのできる）のようなエンティティによって決定されるＭＣＴ  １０４中の特徴制御デーモン３によるアクセス情報の受信を生じさせることができる。好ましい実施形態では、ＭＳＣｓ（示されていない）を回避し、通信がより容易に制御されることを可能にし、コストが最小限にされることを可能にすると同時に、すべての通信ニーズが供される。
【手続補正３】
【補正対象書類名】明細書
【補正対象項目名】００３６
【補正方法】変更
【補正の内容】
【００３６】
したがって、示された複数の実施形態への多数の修正が行われることができ、また、他の複数の取り合せ(arrangements)は添付された複数の請求項によって規定される本願発明の技術的範囲を逸脱することなく考案され得ることが理解される。
以下に、本願の出願当初請求項に記載された発明を付記する。
［１］
下記を具備するスマートフォン、
トランシーバ、
前記トランシーバに接続されたプロセッサ、
前記プロセッサに接続されたメモリ、
前記メモリ中に特徴制御許可情報を記憶するために動作可能な特徴制御デーモン。
［２］
前記特徴制御デーモンは、前記トランシーバにより許可情報を無線で受信するためにさらに動作可能である、上記［１］記載のスマートフォン。
［３］
前記許可情報は、ＸＭＬファイル、ＷＭＬファイル、ＤＬＬファイル、ｅｘｅファイル、バイナリファイル、ＪＡＲファイル、Ｐｅｒlファイル、ＢＲＥＷアプリケーションファイル、Ｃ＋＋ファイル、Ｃファイル、Ｃ＃ファイル、前記スマートフォンに知られている他のデータ、スクリプトまたは実行ファイル、あるいはそれらの組合せから選択されたファイルからなる、上記［１］記載のスマートフォン。
［４］
前記特徴制御デーモンは、１つまたはそれより多くの特徴へのアクセスを認可する特徴制御情報に関して前記メモリに問合せるために動作可能な１つまたはそれより多くの追加のモバイル特徴制御アプリケーションを生じさせるために動作可能なモバイル特徴制御アプリケーションを含む、上記［１］記載のスマートフォン。
［５］
モバイル・オペレーション・システムが前記メモリ中に記憶された特徴制御情報に関連して許可された特徴へのスマートフォンのアクセスを可能にする、前記モバイル・オペレーティング・システムをさらに含む、上記［１］記載のスマートフォン。
［６］
入力を受信するために動作可能なインターフェースおよびモバイル・オペレーティング・システムをさらに含み、前記モバイル・オペレーティング・システムは、前記インターフェースによって受信された入力に関連して前記特徴制御デーモンによりアクセスに関して認可された特徴を実施するために動作可能である、上記［１］記載のスマートフォン。
［７］
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記スマートフォンに知られている他のデータ、スクリプトまたは実行可能なもの、あるいはそれらの組合せを使用して、前記インターフェースによって受信された入力に関連して前記特徴制御デーモンの使用によりアクセスに関して前に認可された特徴を実施するために動作可能である、上記［１］記載のスマートフォン。
［８］
下記を具備する、移動局のためのサービスへの制御アクセスの方法、
サービスリクエストを受信すること、
前記移動局内のデータベース中の記憶された許可によって示されるように該移動局によって該サービスがサポートされるかどうかを決定することにより前記サービスリクエストを評価するためにアプリケーションを生じさせること、
前記サービスにアクセスする許可を決定した前記アプリケーションに関連して前記サービスにアクセスするようにモバイル・オペレーティング・システムに命令すること。
［９］
前記モバイル・オペレーティング・システムは、Symbian（登録商標）、 Win CE（登録商標）、Rex（登録商標）、VxWorks（登録商標）、ThreadX（登録商標）、またはNucleus（登録商標）オペレーティング・システムからなるグループから選択されたオペレーティング・システムである、上記［８］記載の方法。
［１０］
移動局へのキーパッド入力は、サービスリクエストとして解釈される、上記［８］記載の方法。
［１１］
移動局によって受信された所定のデータは、サービスリクエストとして解釈される、上記［８］記載の方法。
［１２］
前記所定のデータは、ネットワーク管理センタまたは許可サーバからなるソースから受信される、上記［１１］記載の方法。
［１３］
アプリケーション・イネーブラ、アプリケーションの一部分、またはアプリケーションからなるものは放送によって移動局へダウンロードされる、上記［８］記載の方法。
［１４］
前記記憶された許可は、ＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記移動局に知られている他のデータ、スクリプトまたは実行ファイル、あるいはそれらの組合せから選択されたファイルからなるファイル中に含まれる、上記［８］記載の方法。
［１５］
下記を含む移動局、
トランシーバ、
前記トランシーバに接続されたプロセッサ、
前記プロセッサに接続されたメモリ、および
ダウンロード可能なソフトウェア・アプリケーション、前記ソフトウェア・アプリケーションは前記移動局のユーザによる特徴へのアクセスを提供するために動作可能である。
［１６］
前記ダウンロード可能なソフトウェア・アプリケーションはさらに、前記メモリ中に記憶された許可情報を検査することに関連して、移動局による特徴へのアクセスを決定するために動作可能である、上記［１５］記載の移動局。
［１７］
前記移動局による特徴へのアクセスは、前記移動局のユーザの識別、デバイスの能力、先の活動、集められたデータ、時間、位置、あるいはそれらの組合せからなるものに基づいている、上記［１５］記載の移動局。
［１８］
下記を具備する移動通信端末、
プロセッサ、
特徴のパッケージを実施するために動作可能なソフトウェアを含むメモリ、
特徴制御デーモン、
前記プロセッサに結合されたトランシーバ、前記トランシーバは、ネットワークに結合された無線通信ネットワークによりデータを送受信するために動作可能であり、前記プロセッサは、移動通信端末のユーザについて、パッケージ特徴にアクセスする許可を与えた前記特徴制御デーモンに関連して前記ネットワークおよび前記無線通信ネットワークにより提供された、前記パッケージ特徴にアクセスするために動作可能である。
［１９］
前記プロセッサは、遠隔局から前記トランシーバにより受信されたプログラミングに関連して前記パッケージ特徴の使用を可能にされる、上記［１８］記載の移動通信端末。
［２０］
前記プロセッサは、許可を与えない前記特徴制御デーモンに関連して前記パッケージ特徴の使用を拒否される、上記［１８］記載の移動通信端末。
［２１］
前記特徴のパッケージは、リング・バック・トーン、３者間通話、キャッチホン、音声メール、テキストメッセージング、長距離電話、発信者番号通知、ピクチャ・メッセージ、マルチメディア特徴、非電話アプリケーションおよび特徴、ビジネス・アプリケーション、データベース・アクセス、またはそれらの組合せからなるグループから選択される、上記［１８］記載の移動通信端末。
［２２］
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬファイル、ｅｘｅファイル、バイナリファイル、ＪＡＲファイル、Ｐｅｒlファイル、ＢＲＥＷ アプリケーションファイル、Ｃ＋＋ファイル、Ｃファイル、Ｃ＃ファイル、前記スマートフォンに知られている他のデータ、スクリプトまたは実行ファイル、あるいはそれらの組合せを使用して、前記インターフェースによって受信された入力に関連して前記特徴制御デーモンの使用によりアクセスに関して前に認可された特徴を実施するために動作可能である、上記［１８］記載の移動通信端末。
［２３］
前記ネットワークは、インターネットによって一緒に接続された複数のルータを含む、上記［１８］記載の移動通信端末。
［２４］
前記ネットワークは、パケット交換データネットワークまたはデータ交換ネットワークからなるものの範囲内において接続される、上記［１８］記載の移動通信端末。
［２５］
前記無線ネットワークは、ＣＤＭＡ、ＷＣＤＭＡ、ＵＭＴＳ、ＧＳＭ、８０２．１１、ＢＴ、ＴＤＭＡあるいはＯＦＤＭＡネットワークからなるネットワークから選択される、上記［１８］記載の移動通信端末。
［２６］
前記トランシーバによる許可デバイスとの通信のためにユーザを識別するために使用されるインターフェースをさらに含む、上記［１８］記載の移動通信端末。
［２７］
前記インターフェースは、指紋読取装置、網膜スキャナ、音声認識デバイス、あるいはそれらの組合せからなるグループから選択されたバイオメトリック・センサを含む、上記［２６］記載の移動通信端末。
［２８］
前記インターフェースは、キーパッド、タッチパッド・スクリーン、トラック・ボール、あるいはそれらの組合せからなるデータ・エントリ・デバイスを含む、上記［２６］記載の移動通信端末。
［２９］
前記ネットワークはＡＴＭネットワークである、上記［１８］記載の移動通信端末。
［３０］
前記特徴のパッケージは加入者サービスによって提供される、上記［１８］記載のビジネスを行うための方法。
［３１］
上記［１８］記載の前記移動通信端末は、ＭＳＣを除いて前記ネットワークにより特徴のパッケージへのアクセスを提供される、ビジネスを行う方法。
［３２］
下記を具備する、無線ネットワークにより移動局にサービスのパッケージを提供する方法、
ユーザのために許可されたパッケージの特徴にアクセスするためにＡＴＭネットワークに結合された無線ネットワークにより許可コードを受信すること、
前記ＡＴＭネットワークに結合された前記無線ネットワークにより、前記移動局内の特徴制御デーモンによって許可された、前記パッケージの特徴にアクセスすること。
［３３］
前記パッケージの前記特徴は、別のエンティティの所有者の所有権下にある移動交換センタによるルーティングなしにアクセスされる、上記［３２］記載の無線ネットワークによりサービスのパッケージを提供する方法。
［３４］
前記パッケージの前記特徴は８０２．１１の接続を使用してアクセスされる、上記［３３］記載の方法。
［３５］
所有者の所有権は、前記別のエンティティの事業部、子会社または系列会社であることにより所有権を含む、上記［３３］記載の方法。
［３６］
前記パッケージの前記特徴は、リング・バック・トーン、３者間通話、キャッチホン、音声メール、テキストメッセージング、またはそれらの組合せからなるグループから選択される、上記［３２］記載の無線ネットワークによりサービスのパッケージを提供する方法。
［３７］
前記サービスおよび前記パッケージの前記特徴は、電話をかけることに直接的に結びつけられないサービスおよび特徴を含む、上記［３２］記載の無線ネットワークによりサービスのパッケージを提供する方法。
［３８］
下記を具備する移動通信システム、
無線通信ネットワーク、
前記無線通信ネットワークに結合されたＡＴＭネットワーク、
前記ＡＴＭネットワークに接続された許可デバイス、
前記許可デバイスによりアクセス可能な特徴のパッケージ、前記許可デバイスは、移動通信端末から遠く離れたエンティティから受信された指示に関連して該移動通信端末による特徴の使用の許可を与えるために動作可能である。
［３９］
前記無線通信ネットワークは複数の移動通信端末に結合される、上記［３８］記載の移動通信システム。
［４０］
前記移動通信端末の選択された許可されたユーザは、別のエンティティの所有者の所有権下にある移動交換センタによる通信のルーティングなしに、前記パッケージの特徴にアクセスすることができる、上記［３９］記載のシステム。
［４１］
前記所有者の所有権は、前記別のエンティティの事業部、子会社または系列会社であることにより所有権を含む、上記［３８］記載のシステム。
［４２］
前記特徴のパッケージは、リング・バック・トーン、３者間通話、キャッチホン、音声メール、テキストメッセージング、他の特徴またはそれらの組合せからなるグループから選択される、上記［３８］記載のシステム。
［４３］
前記ＡＴＭネットワークは、インターネットによって一緒に接続された複数のルータを含む、上記［３８］記載のシステム。
［４４］
前記アクセス・デバイスは許可サーバである、上記［３８］記載のシステム。
［４５］
前記ＡＴＭネットワークは、パケット交換データネットワーク内に接続される、上記［３８］記載のシステム。
［４６］
前記ＡＴＭネットワークは、データ交換データネットワーク内に接続される、上記［３８］記載のシステム。
［４７］
前記無線通信ネットワークは、ＣＤＭＡ、ＷＣＤＭＡ、ＵＭＴＳ、ＧＳＭ、８０２．１１、ＢＴ、ＴＤＭＡあるいはＯＦＤＭＡネットワークから選択されたネットワークからなる、上記［３８］記載のシステム。
［４８］
前記許可デバイスは、ソース・コード、実行ファイル、スクリプト、データのダウンロード、特定のエンドユーザ権、時刻、移動通信端末の現在のロケーション、あるいはそれらの組合せから選択された、前記移動通信端末から遠く離れたエンティティにより制御された基準に関連して前記特徴のパッケージへのアクセスを認可する、上記［３８］記載のシステム。
［４９］
下記を具備するモバイルデバイス、
トランシーバ、
前記トランシーバに接続されたプロセッサ、
前記プロセッサに接続されたメモリ、
前記メモリ中に特徴制御許可情報を記憶するために動作可能な特徴制御デーモン。
［５０］
前記特徴制御デーモンは、前記トランシーバにより許可情報を無線で受信するためにさらに動作可能である、上記［４９］記載のモバイルデバイス。
［５１］
前記許可情報は、ＸＭＬファイル、ＷＭＬファイル、ＤＬＬファイル、ｅｘｅファイル、バイナリファイル、ＪＡＲ、Ｐｅｒl、ＢＲＥＷアプリケーション、Ｃ＋＋ファイル、Ｃファイル、Ｃ＃ファイル、前記デバイスに知られている他のデータ、スクリプトまたは実行ファイル、あるいはそれらの組合せから選択されたファイルからなる、上記［４９］記載のモバイルデバイス。
［５２］
前記特徴制御デーモンは、１つまたはそれより多くの特徴へのアクセスを認可する特徴制御情報に関して前記メモリに問合せるために動作可能である１つまたはそれより多くの追加のモバイル特徴制御アプリケーションを生じさせるために動作可能なモバイル特徴制御アプリケーションを含む、上記［４９］記載のモバイルデバイス。
［５３］
モバイル・オペレーション・システムが前記メモリ中に記憶された特徴制御情報に関連して許可された特徴へのスマートフォンのアクセスを可能にする、前記モバイル・オペレーティング・システムをさらに含む、上記［４９］記載のモバイルデバイス。
［５４］
入力を受信するために動作可能なインターフェースおよびモバイル・オペレーティング・システムをさらに含み、前記モバイル・オペレーティング・システムは、前記インターフェースによって受信された入力に関連して前記特徴制御デーモンによりアクセスに関して認可された特徴を実施するために動作可能である、上記［４９］記載のモバイルデバイス。
［５５］
入力を受信するために動作可能なインターフェースおよびモバイル・オペレーティング・システムをさらに含み、前記モバイル・オペレーティング・システムは、前にダウンロードされたＸＭＬファイル、ＷＭＬファイル、ＤＬＬ、ｅｘｅファイル、バイナリ、ＪＡＲ、Ｐｅｒl、ＢＲＥＷアプリケーション、Ｃ＋＋ファイル、Ｃファイル、Ｃ＃ファイル、前記デバイスに知られている他のデータ、スクリプトまたは実行ファイル、あるいはそれらの組合せを使用することによって、前記インターフェースによって受信された入力に関連して前記特徴制御デーモンの使用により、アクセスに関して前に認可された特徴を実施するために動作可能である、上記［４９］記載のモバイルデバイス。
【外国語明細書】
2012231507000001.pdf